(57)【要約】      （修正有）【課題】流水・湧水を相互還流させて無駄なく自然水を有効活用し、地盤流失災害の抑止に役立て、さらには環境破壊の抑止につなげる排水側溝及び集水溜桝を提供する。【解決手段】Ｕ型側溝及び溜桝に複数の穴１を施し流水・湧水を相互還流させて無駄なく自然水を有効活用する。また、長期多量雨による地中湧水を吸水排出することにより地盤流失災害の抑止に役立てる。さらに、この製品を産業廃棄物プラスチックの再利用により製品化する。【選択図】図７
2005009279.tif 000002
【特許請求の範囲】
【請求項１】
排水側溝側壁部及び底部に吸排水浸透の為の通水用穴（１）を千鳥間隔又は等間隔に施したコンクリート製又は合成樹脂製の排水側溝及び集水溜桝である。
【発明の詳細な説明】
【０００１】
【発明の属する技術分野】
この発明は元来排水側溝は雨水を河川まで排水することが最大の目的であってコンクリートで固めたＵ型側溝で貴重な水をそのまま海に導き捨てることになっていた、環境にやさしい物造りを要求されている現在では勿体無い事である。又従来はＵ型側溝等地中構造物は強度並びに浮力に耐える重量が要求されて、合成樹脂製品では対応が難しかったが、多数の通水穴を設けることにより地下水位の上昇下降による空圧水圧は完全に排除される。尚合成樹脂が活用出来る事により、廃棄物再利用処理により埋立て処理量の削減にも寄与する事になり環境にやさしい物造りのための装置である。
【０００２】
【従来の技術】
従来のＵ字型側溝は１００％排水するだけの目的に利用されていた。
【０００３】
【発明が解決しようとする課題】
したがって、本発明は無数の通気・通水丸穴（１）を施す事により地中に浸透させ潤いを与えながら余った水だけを排水処理することが可能であり、又雨期等地中に相当の含水があるときは通水丸穴（１）により逆にＵ字型側溝内に浸透集水させながら排水処理をさせることが可能である。又この作用を逆利用することにより、比重の軽い合成樹脂製品を用いた場合、周りの空気及び水が吸収され浮力が抑止されて製品の浮き上りの防止が可能となる。産業廃棄物を原料として再活用し可能な限り合成樹脂製Ｕ字多孔型側溝
【図５】及び
【図９】を使用すれば、施工面でもクレーン等の使用も少なくてすみ環境に対するやさしさと廃棄物再利用による減量化と経費節減を考えて発明されたものである。
【０００４】
【課題を解決するための手段】
いま、ここにその構成を説明すると、
（イ）排水側溝又は溜桝壁面及び底面に均等あるいは千鳥状に配列された【図７】、【図８】、【図５】、【図９】の（１）通水用丸穴を設ける。
（ロ）（イ）の内【図５】及び【図９】の外面には容器のたわみを防止する縦板、（２）たわみ防止補強板及び、たわみ防止補強と浮力抑止を兼ねた横板、（３）たわみ防止及び浮力抑止板を本体と一体化して設ける。
（ハ）【図５】左右の（１０）蓋掛り縁枠は両端部と中央部に（９）張出し防止補強部材を本体と一体化して設ける。
（ニ）【図５】本体両端部の一方全面には（５）連結用オス突起部を施し、反対側一方全面には（４）連結用メス溝部を設ける。
（ホ）（１）通水用丸穴は各製品とも【図６】拡大図のように外面より内面の方の穴の大きさを少し小さく施す。
以上のように装置する。
【０００５】
【発明の実施の形態】
次に本発明の実施の形態を述べると、
以上のような構造であるから本体の設置埋め戻しには流水、通気性を高めるため再生砕石により行う事とする。
【図５】多孔型側溝については（５）連結用オス突起部（４）連結用メス溝部のかみ合わせにより接続させるので、
【図７】多孔型側溝の場合のように目地モルタル施工を必要としない。
【０００６】
【発明の効果】
だから本発明は貴重な水を有効に活用し余った水だけを排水して、地中に潤いを与え環境にやさしさを施すものである。
【図面の簡単な説明】
【図１】
【本発明の多孔型側溝断面図】コンクリート製
【図２】
【本発明の多孔型側溝断面図】合成樹脂製
【図３】
【本発明の図１の側面図】コンクリート製
【図４】
【本発明の図２の側面図】合成樹脂製
【図５】
【本発明の図２の斜視図】合成樹脂製
【図６】
【本発明の各図の（１）通水用丸穴拡大図】コンクリート製・合成樹脂製共通
【図７】
【本発明の図１の斜視図】コンクリート製
【図８】
【多孔型溜桝斜視図】コンクリート製
【図９】
【多孔型溜桝斜視図】合成樹脂製
【符号の説明】
（１）・は通水用丸穴
（２）・はたわみ防止補強板
（３）・はたわみ防止補強及び浮力抑止板
（４）・は連結用メス溝部
（５）・は連結用オス突起部
（６）・は側壁部
（７）・は側壁内側
（８）・は側壁外側
（９）・は張出し防止補強部材
（１０）・は蓋掛り縁枠
【図１】
2005009279.tif 000003
【図３】
2005009279.tif 000004
【図５】
2005009279.tif 000005
【図６】
2005009279.tif 000006
【図７】
2005009279.tif 000007
【図８】
2005009279.tif 000008
【図９】
2005009279.tif 000009
【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
排水側溝側壁部及び底部に吸排水浸透の為の通水用穴（１）を千鳥間隔又は等間隔に施したコンクリート製又は合成樹脂製の排水側溝及び集水溜桝である。
【請求項２】
コンクリート並びに合成樹脂製の既製品用及び現場施工製作による排水側溝・水路等の金型及び型枠に浸透吸水・排水をさせるため複数の通水穴（１）を施す目的で、貫通用突起物（１２）を側壁並びに底盤部分の金型・型枠に取り付けること、及び製品化する事。
【請求項３】
【請求項２】の貫通用突起物（１２）の先端に塵芥・微石の流入を抑止する網状キャップ（１３）をかぶせて成型し型枠脱型後本体内に固定残留させるものである網状キャップ（１３）を使用すること。
【手続補正２】
【補正対象書類名】明細書
【補正対象項目名】発明の詳細な説明
【補正方法】変更
【補正の内容】
【発明の詳細な説明】
【０００１】発明の属する技術分野
この発明は元来排水側溝及び水路は雨水を河川あるいは海まで排水することが最大の目的であってコンクリートで固めたＵ型側溝及び水路で貴重な水をそのまま海に導き捨てることになっていたが、環境にやさしい物造りを要求されている現在では勿体ない事である。末端放流に至るまでに途中の地質に応じて浸透排出した、或いは浸透吸水をさせて地中含水量の調整を保ちながら自然に潤いと環境にやさしさをもたらすものである。又従来はＵ型側溝及び水路は強度並びに浮力に耐える重量が要求されて、合成樹脂製品では対応が難しかったが、多数の通水穴（１）を設けることにより地下水位の上昇下降による空圧水圧は抑止又は排除されるので合成樹脂が活用出来る事により、廃棄物再生利用処理により埋め立て処理量の削減にも寄与する事になり環境にやさしい物造りのための装置である。
【０００２】従来の技術
従来のＵ字型側溝及び水路は殆どがコンクリート製品で排水するだけの目的だけに利用されていた。
【０００３】発明が解決しようとする課題
したがって、本発明は多数の通気・通水穴（１）を施すことにより乾いた地中に浸透させ潤いを与えながら、多含水湿地からは浸透吸水させ通水穴（１）により逆にＵ字型側溝又は水路内に浸透集水させながら余った水だけを排水処理することが可能である。したがって従来斜面舗装道路等は短時間に多量又は長期間降雨の場合舗装下地盤の含水圧が上がり舗装面を持ち上げ崩壊を起こしていたが、この水抜き作用により抑止可能となった。又この作用を逆利用することにより、比重の軽い合成樹脂製品を用いた場合は、周りの空気圧及び水圧が吸収され浮力が抑止されて製品の浮き上がりの防止を可能とした。産業廃棄物を原料として再活用し可能な限り合成樹脂製Ｕ字多孔型側溝【図５】及び多孔型溜桝【図９】を使用すれば、施工面でもクレーン等の使用も少なくてすみ環境に対するやさしさと廃棄物再利用による埋め立て減量化と経費節減をも考えて発明されたものである。
【０００４】課題を解決するための手段
いま、ここにその構成を説明すると、
（イ）排水側溝及び水路又は溜桝の壁面及び底面に均等あるいは千鳥状に配列された【図６】の網状キャップ（１３）をかぶせた通水穴（１）を【図７】、【図８】、【図５】、【図９】、【図１０】、に設ける。
（ロ）（イ）の内【図５】、及び【図９】、の外面には容器のたわみを防止する縦板、たわみ防止補強板（２）及び、たわみ防止補強と浮力抑止を兼ねた横板、たわみ防止及び浮力抑止板（３）を本体と一体化して設ける。
（ハ）【図５】、左右の蓋掛り縁枠（１０）は両端部と中央部に張出し防止補強部材（９）を本体と一体化して設ける。
（ニ）【図５】、本体両端部の一方全面には連結用オス突起部（５）を施し、反対側一方全面には連結用メス溝部（４）を設けて上下左右のずれをなくする。
（ホ）通水穴（１）は各製品とも【図６】通水穴拡大図のように型枠の構成により外側・内側関係なく型枠に取り付ける突起物の取り付け部側を太くし片方を少し細くして先端に網状キャップ（１３）をかぶせて成型し脱型後本体内に残留固定する。
以上のように装置する。
【０００５】発明の実施の形態
次に本発明の実施の形態を述べると、
以上のような構造であるから本体の設置埋め戻しには流水、通気性を高めるため再生砕石等により行うこととする。【図５】多孔型側溝（合成樹脂製）については連結用オス突起部（５）連結用メス溝部（４）のかみ合わせにより接続させるので、【図７】多孔型側溝（コンクリート製）の場合のように目地モルタル施工を必要としない。
【０００６】発明の効果
だから本発明は貴重な水を有効に活用し余った水だけを排水して、地中に潤いを与え尚且つ長期多降雨の際に地中含水量を抑制し災害防止に役立ち環境にやさしさを施すものである。


【手続補正３】
【補正対象書類名】明細書
【補正対象項目名】図面の簡単な説明
【補正方法】変更
【補正の内容】
【図面の簡単な説明】
【図１】【本発明の多孔型側溝断面図】コンクリート製
【図２】【本発明の多孔型側溝断面図】合成樹脂製
【図３】【本発明の図１の側面図】コンクリート製
【図４】【本発明の図２の側面図】合成樹脂製
【図５】【本発明の図２の斜視図】合成樹脂製
【図６】【本発明の各図の（１）通水穴拡大図】コンクリート製・合成樹脂製共通
【図７】【本発明の図１の斜視図】コンクリート製
【図８】【本発明の多孔型溜桝斜視図】コンクリート製
【図９】【本発明の多孔型溜桝斜視図】合成樹脂製
【図１０】【本発明のＬ型水路断面図】
【図１１】【本発明の型枠突起部取付け断面図】
【図１２】【本発明の網状キャップ断面図】
【図１３】【本発明の網状キャップ上部平面図】
【符号の説明】
（１）・は通水用穴
（２）・はたわみ防止補強板
（３）・はたわみ防止補強及び浮力抑止板
（４）・は連結用メス溝部
（５）・は連結用オス突起部
（６）・は側壁及び底部
（７）・は側壁内側又は外側
（８）・は側壁外側又は内側
（９）・は張出し防止補強部材
（１０）・は蓋掛り縁枠
（１１）・は排水パイプ接続口
（１２）・は貫通用突起物
（１３）・は網状キャップ
（１４）・は鋼製型枠片面
（１５）・は網状穴部


【手続補正７】
【補正対象書類名】図面
【補正対象項目名】全図
【補正方法】変更
【補正の内容】
【図１】
2005009279.tif 000010
【図２】
2005009279.tif 000011
【図３】
2005009279.tif 000012
【図４】
2005009279.tif 000013
【図５】
2005009279.tif 000014
【図６】
2005009279.tif 000015
【図７】
2005009279.tif 000016
【図８】
2005009279.tif 000017
【図９】
2005009279.tif 000018
【図１０】
2005009279.tif 000019
【図１１】
2005009279.tif 000020
【図１２】
2005009279.tif 000021
【図１３】
2005009279.tif 000022
【手続補正書】
【提出日】平成15年7月23日(2003.7.23)
【手続補正１】
【補正対象書類名】明細書
【補正対象項目名】特許請求の範囲
【補正方法】変更
【補正の内容】
【特許請求の範囲】
【請求項１】
排水側溝側壁部及び底部に吸排水浸透の為の通水用穴（１）を千鳥間隔又は等間隔に施したコンクリート製又は合成樹脂製の排水側溝及び集水溜桝である。
【請求項２】
コンクリート並びに合成樹脂の既製品用及び現場施工製作による排水側溝・水路等の金型及び型枠に浸透吸水・排水をさせるため複数の通水穴（１）を施す目的で、貫通用突起物（１２）を側壁並びに底盤部分の金型・型枠に取り付けること、及び製品化すること。
【請求項３】
【請求項２】の貫通用突起物（１２）の先端に塵芥・微石の流入を抑止するためガムテープ等を貼り付けた網状キャップ（１３）をかぶせて成型し型枠脱型後本体内に固定残留させるものであり後でガムテープ等を剥がせた網状キャップ（１３）を使用すること。
【請求項４】
コンクリート並びに合成樹脂の既製品用及び現場施工製作による排水側溝・水路等の金型及び型枠に浸透吸水・排水をさせるため複数の通水穴（１）を施す目的で、合成樹脂及び硬質ゴム並びに金属製のパイプ及びバネ伸縮式パイプを側壁並びに底盤部分の金型・型枠に取付け埋め殺し成型し脱型後樹脂及び硬質ゴム並びに金属製のはめ込み式網目皿【図１４】を取り付けるようにする事、及び製品化する事。
【手続補正２】
【補正対象書類名】明細書
【補正対象項目名】０００４
【補正方法】変更
【補正の内容】
【０００４】
いま、ここにその構成を説明すると、
（イ）排水側溝又は溜桝壁面及び底面に均等あるいは千鳥状に配列された【図７】、【図８】、【図５】、【図９】の（１）通水用丸穴を設ける。
（ロ）（イ）の内【図５】及び【図９】の外面には容器のたわみを防止する縦板、（２）たわみ防止補強板及び、たわみ防止補強と浮力抑止を兼ねた横板、（３）たわみ防止及び浮力抑止板を本体と一体化して設ける。
（ハ）【図５】左右の（１０）蓋掛り縁枠は両端部と中央部に（９）張出し防止補強部材を本体と一体化して設ける。
（ニ）【図５】本体両端部の一方全面には（５）連結用オス突起部を施し、反対側一方全面には（４）連結用メス溝部を設ける。
（ホ）（１）通水用丸穴は各製品とも【図６】拡大図のように外面より内面の方の穴の大きさを少し小さく施す。
（ヘ）通水穴（１）は各製品とも【図６】及び【図１１】のように型枠に取り付ける突起物の取付けにより作成する場合と、【図１９】のように【図１８】ノロ液進入防止穴なしはめ込み目皿（２２）をはめたバネ式伸縮パイプ又は樹脂製及び金属パイプに（２２）をはめて、パイプずれ止め突起針（２７）に取付け埋め殺しの成型をし脱型後本体内に残留固定する。
以上のように装置する。


【手続補正３】
【補正対象書類名】明細書
【補正対象項目名】図面の簡単な説明
【補正方法】変更
【補正の内容】
【図面の簡単な説明】
【図１】【本発明の多孔型側溝断面図】コンクリート製
【図２】【本発明の多孔型側溝断面図】合成樹脂製
【図３】【本発明の図１の側面図】コンクリート製
【図４】【本発明の図２の側面図】合成樹脂製
【図５】【本発明の図２の斜視図】合成樹脂製
【図６】【本発明の各図の（１）通水用丸穴拡大図】コンクリート製・合成樹脂製共通
【図７】【本発明の図１の斜視図】コンクリート製
【図８】【本発明の多孔型溜桝斜視図】コンクリート製
【図９】【本発明の多孔型溜桝斜視図】合成樹脂製
【図１０】【本発明のＬ型水路断面図】
【図１１】【本発明の型枠突起部取付け断面図】
【図１２】【本発明の網状キャップ断面図】
【図１３】【本発明の網状キャップ上部平面図】
【図１４】【本発明の網状目皿側断面図】
【図１５】【本発明の網状目皿側面図】
【図１６】【本発明のノロ液進入防止穴なしはめ込み目皿側断面図】
【図１７】【本発明のノロ液進入防止穴なしはめ込み目皿平面図】
【図１８】【本発明のバネ式伸縮パイプ側面図】
【図１９】【本発明の型枠パイプずれ止め突起針断面図】
【符号の説明】
（１）・は通水穴。
（２）・はたわみ防止補強板。
（３）・はたわみ防止補強及び浮力抑止板。
（４）・は連結用メス溝部。
（５）・は連結用オス突起部。
（６）・は側壁及び底部。
（７）・は側壁内側又は外側。
（８）・は側壁外側又は内側。
（９）・は張出し防止補強部材。
（１０）・は蓋掛り縁枠。
（１１）・は排水パイプ接続口。
（１２）・は貫通用突起物。
（１３）・は網状キャップ。
（１４）・は鋼製型枠片面。
（１５）・は網状穴部。
（１６）・は網目穴部。
（１７）・ははめ込み足部。
（１８）・は円形網目皿。
（１９）・は円形穴なし目皿。
（２０）・はバネ。
（２１）・はバネ止め。
（２２）・はノロ液進入防止穴なしはめ込み目皿。
（２３）・は伸縮受側パイプ。
（２４）・は伸縮パイプ。
（２５）・は型枠。
（２６）・はバネ式伸縮パイプ。
（２７）・はパイプずれ止め突起針。
【手続補正８】
【補正対象書類名】図面
【補正対象項目名】全図
【補正方法】変更
【補正の内容】
【図１】
2005009279.tif 000023
【図２】
2005009279.tif 000024
【図３】
2005009279.tif 000025
【図４】
2005009279.tif 000026
【図５】
2005009279.tif 000027
【図６】
2005009279.tif 000028
【図７】
2005009279.tif 000029
【図８】
2005009279.tif 000030
【図９】
2005009279.tif 000031
【図１０】
2005009279.tif 000032
【図１１】
2005009279.tif 000033
【図１２】
2005009279.tif 000034
【図１３】
2005009279.tif 000035
【図１４】
2005009279.tif 000036
【図１５】
2005009279.tif 000037
【図１６】
2005009279.tif 000038
【図１７】
2005009279.tif 000039
【図１８】
2005009279.tif 000040
【図１９】
2005009279.tif 000041
【手続補正書】
【提出日】平成15年9月15日(2003.9.15)
【手続補正２】
【補正対象書類名】図面
【補正対象項目名】全図
【補正方法】変更
【補正の内容】
【図１】
2005009279.tif 000042
【図２】
2005009279.tif 000043
【図３】
2005009279.tif 000044
【図４】
2005009279.tif 000045
【図５】
2005009279.tif 000046
【図６】
2005009279.tif 000047
【図７】
2005009279.tif 000048
【図８】
2005009279.tif 000049
【図９】
2005009279.tif 000050
【図１０】
2005009279.tif 000051
【図１１】
2005009279.tif 000052
【図１２】
2005009279.tif 000053
【図１３】
2005009279.tif 000054
【図１４】
2005009279.tif 000055
【図１５】
2005009279.tif 000056
【図１６】
2005009279.tif 000057
【図１７】
2005009279.tif 000058
【図１８】
2005009279.tif 000059
【図１９】
2005009279.tif 000060
【手続補正書】
【提出日】平成15年11月24日(2003.11.24)
【手続補正１】
【補正対象書類名】明細書
【補正対象項目名】特許請求の範囲
【補正方法】変更
【補正の内容】
【特許請求の範囲】
【請求項１】
排水側溝側壁部及び底部に吸排水浸透の為の通水穴（１）を千鳥間隔又は等間隔に施したコンクリート製又は合成樹脂製の排水側溝及び集水溜桝である。
【請求項２】
コンクリート並びに合成樹脂製の既製品用及び現場施工製作による排水側溝・水路等の金型及び型枠に浸透吸水・排水をさせるため複数の通水穴（１）を施す目的で、貫通用突起物（１２）を側壁並びに底盤部分の金型・型枠に取り付けること、及び製品化する事。
【請求項３】
「請求項２」の貫通用突起物（１２）の先端に塵芥・微石の流入を抑止する網状キャップ（１３）をかぶせて成型し型枠脱型後本体内に固定残留させるものである網状キャップ（１３）を使用すること。
【請求項４】
「図２０」の多孔型透水性舗装用側溝の蓋掛り部分に（２９）浸透流水放出口Ａ１（３０）浸透流水放出口Ｂ（３１）浸透流水放出口Ａ２を設けて、これに透水性舗装より浸透水を集水誘導するために「図２１」の舗装止め集水誘導金属枠斜視図を（２８）舗装止め集水誘導金属枠はめ込み溝に挟み込ませて固定し舗装表面水及び浸透水を側溝内に集水誘導するために使用すること及び現場製作側溝に（２８）舗装止め集水誘導金属枠を取り付け使用すること。
【手続補正２】
【補正対象書類名】明細書
【補正対象項目名】図面の簡単な説明
【補正方法】変更
【補正の内容】
【図面の簡単な説明】
【図１】「本発明の多孔型側溝断面図」コンクリート製
【図２】「本発明の多孔型側溝断面図」合成樹脂製
【図３】「本発明の図１の側面図」コンクリート製
【図４】「本発明の図２の側面図」合成樹脂製
【図５】「本発明の図２の斜視図」合成樹脂製
【図６】「本発明の各図の（１）通水穴拡大図」コンクリート製・合成樹脂製共通
【図７】「本発明の図１の斜視図」コンクリート製
【図８】「本発明の多孔型溜桝斜視図」コンクリート製
【図９】「本発明の多孔型溜桝斜視図」合成樹脂製
【図１０】「本発明のＬ型水路断面図」
【図１１】「本発明の型枠突起部取付け断面図」
【図１２】「本発明の網状キャップ側断面図」
【図１３】「本発明の網状キャップ上部平面図」
【図１４】「本発明の網状目皿側断面図」
【図１５】「本発明の網状目皿側面図」
【図１６】「ノロ液進入防止穴なしはめ込み目皿側断面図」
【図１７】「ノロ液進入防止穴なしはめ込み目皿平面図」
【図１８】「バネ式伸縮パイプ側面図」
【図１９】「型枠パイプずれ止め突起針断面図」
【図２０】「多孔型透水性舗装用道路側溝斜視図」
【図２１】「舗装止め集水誘導金属枠斜視図」
【符号の説明】
（１）・は通水穴。
（２）・はたわみ防止補強板。
（３）・はたわみ防止補強及び浮力抑止板。
（４）・は連結用メス溝部。
（５）・は連結用オス突起部。
（６）・は側壁及び底部。
（７）・は側壁内側又は外側。
（８）・は側壁外側又は内側。
（９）・は張出し防止補強部材。
（１０）・は蓋掛り縁枠。
（１１）・は排水パイプ接続口。
（１２）・は貫通用突起物。
（１３）・は網状キャップ。
（１４）・は鋼製型枠片面。
（１５）・は網状穴部。
（１６）・は網目穴部。
（１７）・ははめ込み足部。
（１８）・は円形網目皿。
（１９）・は円形穴なし目皿。
（２０）・はバネ。
（２１）・はバネ止め。
（２２）・はノロ液進入防止穴なしはめ込み目皿。
（２３）・は伸縮受側パイプ。
（２４）・は伸縮パイプ。
（２５）・は型枠。
（２６）・はバネ式伸縮パイプ。
（２７）・はパイプずれ止め突起針。
（２８）・は舗装止め集水誘導金属枠はめ込み溝。
（２９）・は浸透流水放出口Ａ１．
（３０）・は浸透流水放出口Ｂ
（３１）・は浸透流水放出口Ａ２
（３２）・すだれ状打ち抜き金属網。
（３３）・は集水誘導金属板。
【手続補正３】
【補正対象書類名】図面
【補正対象項目名】全図
【補正方法】変更
【補正の内容】
【図１】
2005009279.tif 000061
【図２】
2005009279.tif 000062
【図３】
2005009279.tif 000063
【図４】
2005009279.tif 000064
【図５】
2005009279.tif 000065
【図６】
2005009279.tif 000066
【図７】
2005009279.tif 000067
【図８】
2005009279.tif 000068
【図９】
2005009279.tif 000069
【図１０】
2005009279.tif 000070
【図１１】
2005009279.tif 000071
【図１２】
2005009279.tif 000072
【図１３】
2005009279.tif 000073
【図１４】
2005009279.tif 000074
【図１５】
2005009279.tif 000075
【図１６】
2005009279.tif 000076
【図１７】
2005009279.tif 000077
【図１８】
2005009279.tif 000078
【図１９】
2005009279.tif 000079
【図２０】
2005009279.tif 000080
【図２１】
2005009279.tif 000081
【手続補正書】
【提出日】平成16年3月20日(2004.3.20)
【手続補正１】
【補正対象書類名】明細書
【補正対象項目名】特許請求の範囲
【補正方法】変更
【補正の内容】
【特許請求の範囲】
【請求項１】
排水側溝側壁部及び底部に吸排水浸透の為の通水穴（１）を千鳥間隔又は等間隔に施したコンクリート製又は合成樹脂製の排水側溝及び集水溜桝である。
【請求項２】
コンクリート並びに合成樹脂製の既製品用及び現場施工製作による排水側溝・水路等の金型及び型枠に浸透吸水・排水をさせるため複数の通水穴（１）を施す目的で、貫通用突起物（１２）を側壁並びに底盤部分の金型・型枠に取り付けること、及び製品化する事。
【請求項３】
【請求項２】の貫通用突起物（１２）の先端に塵芥・微石の流入を抑止する網状キャップ（１３）をかぶせて成型し型枠脱型後本体内に固定残留させるものである網状キャップ（１３）を使用すること。
【請求項４】
【図２０】の多孔型透水性舗装用側溝及び現場製作側溝の蓋掛り部分下に（２９）浸透流水放出口Ａ１（３０）浸透流水放出口Ｂ（３１）浸透流水放出口Ａ２を設けて、これに透水性舗装よりの浸透水及び表面水を集水誘導するために〔図２１〕の舗装止め集水誘導金属枠斜視図を（２８）舗装止め集水誘導金属枠はめ込み溝に挟み込ませて固定し舗装表面水及び浸透水を側溝内に集水誘導するために使用すること及び現場製作側溝に〔図２１〕舗装止め集水誘導金属枠を取り付け使用すること。
【手続補正２】
【補正対象書類名】明細書
【補正対象項目名】図面の簡単な説明
【補正方法】変更
【補正の内容】
【符号の説明】
（１）・は通水穴。
（２）・はたわみ防止補強板。
（３）・はたわみ防止補強及び浮力抑止板。
（４）・は連結用メス溝部。
（５）・は連結用オス突起部。
（６）・は側壁及び底部。
（７）・は側壁内側又は外側。
（８）・は側壁外側又は内側。
（９）・は張出し防止補強部材。
（１０）・は蓋掛り縁枠。
（１１）・は排水パイプ接続口。
（１２）・は貫通用突起物。
（１３）・は網状キャップ。
（１４）・は鋼製型枠片面。
（１５）・は網状穴部。
（１６）・は網目穴部。
（１７）・ははめ込み足部。
（１８）・は円形網目皿。
（１９）・は円形穴なし目皿。
（２０）・はバネ。
（２１）・はバネ止め。
（２２）・はノロ液進入防止穴なしはめ込み目皿。
（２３）・は伸縮受側パイプ。
（２４）・は伸縮パイプ。
（２５）・は型枠。
（２６）・はバネ式伸縮パイプ。
（２７）・はパイプずれ止め突起針。
（２８）・は舗装止め集水誘導金属枠はめ込み溝。
（２９）・は浸透流水放出口Ａ１．
（３０）・は浸透流水放出口Ｂ
（３１）・は浸透流水放出口Ａ２
（３２）・すだれ状打ち抜き金属網又は鋼製圧接グレーチング。
（３３）・は集水誘導金属板。


【手続補正３】
【補正対象書類名】図面
【補正対象項目名】図２１
【補正方法】変更
【補正の内容】
【図２１】
2005009279.tif 000082
【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】
排水側溝側壁部及び底部に吸排水浸透の為の通水穴（１）を千鳥間隔又は等間隔に施したコンクリート製又は合成樹脂製の排水側溝及び集水溜桝である。
【請求項２】
コンクリート並びに合成樹脂製の既製品用及び現場施工製作による排水側溝・水路等の金型及び型枠に浸透吸水・排水をさせるため複数の通水穴（１）を施す目的で、貫通用突起物（１２）を側壁並びに底盤部分の金型・型枠に取り付けること、及び製品化する事。
【請求項３】
【請求項２】の貫通用突起物（１２）の先端に塵芥・微石の流入を抑止する網状キャップ（１３）をかぶせて成型し型枠脱型後本体内に固定残留させるものである網状キャップ（１３）を使用すること。
【請求項４】
【図２０】の多孔型透水性舗装用側溝並びに各種道路側溝二次製品及び現場製作側溝の蓋掛り部分の下に（２９）浸透流水放出口Ａ１（４３）排出口Ａ（３０）浸透流水放出口Ｂ（４４）排出口Ｂ（３１）浸透流水放出口Ａ２（４５）排出口Ｃを設けて、これに透水性舗装よりの浸透水及び表面水を集水誘導するために【図２１】【図２３】【図２６】の舗装止め集水誘導金属枠斜視図を取り付けるための（２８）舗装止め集水誘導金属枠はめ込み溝を施す事とともに挟み込ませて固定し舗装表面水及び浸透水を側溝内に集水誘導する目的で使用すること及び現場製作側溝に【図２１】【図２３】【図２６】の舗装止め集水誘導金属枠を取り付けて使用すること。
【請求項５】
【図２０】の上部及び現場製作側溝蓋掛り上部の（２８）舗装止め集水金属枠はめ込み溝に【図２２】振動はずれ防止フック付スプリング固定金具、又は【図２５】の振動はずれ防止フック受け穴付固定金具を取り付けること。
【請求項５】
【図２３】のはずれ防止フック受け穴及び【図２５】のはずれ防止フック受け穴を、取り付け固定位置を限定することなく自由に移動設定ができるようにする目的で、それぞれのフックの長さより受け穴を数倍長くあけること。
【手続補正２】
【補正対象書類名】明細書
【補正対象項目名】図面の簡単な説明
【補正方法】変更
【補正の内容】
【図面の簡単な説明】
【図１】「本発明の多孔型側溝断面図」コンクリート製
【図２】「本発明の多孔型側溝断面図」合成樹脂製
【図３】「本発明の図１の側面図」コンクリート製
【図４】「本発明の図２の側面図」合成樹脂製
【図５】「本発明の図２の斜視図」合成樹脂製
【図６】「本発明の各図の（１）通水穴拡大図」コンクリート製・合成樹脂製共通
【図７】「本発明の図１の斜視図」コンクリート製
【図８】「本発明の多孔型溜桝斜視図」コンクリート製
【図９】「本発明の多孔型溜桝斜視図」合成樹脂製
【図１０】「本発明のＬ型水路断面図」
【図１１】「本発明の型枠突起部取付け断面図」
【図１２】「本発明の網状キャップ側断面図」
【図１３】「本発明の網状キャップ上部平面図」
【図１４】「本発明の網状目皿側断面図」
【図１５】「本発明の網状目皿側面図」
【図１６】「ノロ液進入防止穴なしはめ込み目皿側断面図」
【図１７】「ノロ液進入防止穴なしはめ込み目皿平面図」
【図１８】「バネ式伸縮パイプ側面図」
【図１９】「型枠パイプずれ止め突起針断面図」
【図２０】「多孔型透水性舗装用道路側溝斜視図
【図２１】「舗装止め集水誘導金属枠斜視図」
【図２２】「振動はずれ防止フック付スプリング固定金具斜視図」
【図２３】「はずれ防止フック受け穴付鋼製圧接集水誘導グレーチング」
【図２４】「二次製品及び現場打設側溝の振動はずれ防止フック付スプリング取付け斜視図」
【図２５】「振動はずれ防止フック受け穴付固定金具斜視図」
【図２６】「はずれ防止フック付舗装止め鋼製圧接集水誘導グレーチング」
【図２７】「二次製品及び現場打設側溝の振動はずれ防止フック受け穴付固定金具取付け斜視図」
【符号の説明】
（１）・は通水穴。
（２）・はたわみ防止補強板。
（３）・はたわみ防止補強及び浮力抑止板。
（４）・は連結用メス溝部。
（５）・は連結用オス突起部。
（６）・は側壁及び底部。
（７）・は側壁内側又は外側。
（８）・は側壁外側又は内側。
（９）・は張出し防止補強部材。
（１０）・は蓋掛り縁枠。
（１１）・は排水パイプ接続口。
（１２）・は貫通用突起物。
（１３）・は網状キャップ。
（１４）・は鋼製型枠片面。
（１５）・は網状穴部。
（１６）・は網目穴部。
（１７）・ははめ込み足部。
（１８）・は円形網目皿。
（１９）・は円形穴なし目皿。
（２０）・はバネ。
（２１）・はバネ止め。
（２２）・はノロ液進入防止穴なしはめ込み目皿。
（２３）・は伸縮受側パイプ。
（２４）・は伸縮パイプ。
（２５）・は型枠。
（２６）・はバネ式伸縮パイプ。
（２７）・はパイプずれ止め突起針。
（２８）・は舗装止め集水誘導金属枠はめ込み溝。
（２９）・は浸透流水放出口Ａ１．
（３０）・は浸透流水放出口Ｂ
（３１）・は浸透流水放出口Ａ２
（３２）・すだれ状打ち抜き金属網。
（３３）・は集水誘導金属板。
（３４）・ははずれ防止フック。
（３５）・は埋め込みアンカーボルト。
（３６）・ははめ込み固定鋼板。
（３７）・ははずれ防止フック受け穴
（３８）・は誘導排出用Ｌ型鋼板。
（３９）・は集水舗装止め鋼製圧接グレーチング。
（４０）・は溝蓋掛り部。
（４１）・は側溝内側。
（４２）・は振動はずれ防止フック付スプリング固定金具。
（４３）・は排出口Ａ。
（４４）・は排出口Ｂ。
（４５）・は排出口Ｃ。
（４６）・は車道舗装側。
（４７）・ははずれ防止フック受け穴。
（４８）・は振動はずれ防止フック受け穴付固定金具。
（４９）・ははずれ防止フック。
【手続補正３】
【補正対象書類名】図面
【補正対象項目名】全図
【補正方法】変更
【補正の内容】
【図１】
2005009279.tif 000083
【図２】
2005009279.tif 000084
【図３】
2005009279.tif 000085
【図４】
2005009279.tif 000086
【図５】
2005009279.tif 000087
【図６】
2005009279.tif 000088
【図７】
2005009279.tif 000089
【図８】
2005009279.tif 000090
【図９】
2005009279.tif 000091
【図１０】
2005009279.tif 000092
【図１１】
2005009279.tif 000093
【図１２】
2005009279.tif 000094
【図１３】
2005009279.tif 000095
【図１４】
2005009279.tif 000096
【図１５】
2005009279.tif 000097
【図１６】
2005009279.tif 000098
【図１７】
2005009279.tif 000099
【図１８】
2005009279.tif 000100
【図１９】
2005009279.tif 000101
【図２０】
2005009279.tif 000102
【図２１】
2005009279.tif 000103
【図２２】
2005009279.tif 000104
【図２３】
2005009279.tif 000105
【図２４】
2005009279.tif 000106
【図２５】
2005009279.tif 000107
【図２６】
2005009279.tif 000108
【図２７】
2005009279.tif 000109